(57)【要約】【課題】  連続して搬送される紙葉類を連続的に切断するロータリーカッターにおいて、巾の狭い切り屑が発生する場合でも各刃に巻き込まれることなく、確実にロータリーカッターの外に排出することが可能なロータリーカッターと、それを使用したカット紙用の圧着紙葉類製造装置。【解決手段】  回転刃１の固定刃２側の背面にベロ状の構造６を設ける。また回転刃１と固定刃２の間隙に上流側から風を送り込む。【選択図】      図４
2005205581.tif 000002
【特許請求の範囲】
【請求項１】
連続して搬送される用紙を連続的に裁断するロータリーカッターにおいて、回転刃の裏面側に切り屑排除構造を設けたことを特徴とするロータリーカッター。
【請求項２】
複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折り畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折り畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなるカット紙用の圧着紙葉類製造装置であって、前記紙葉類切断手段に請求項１記載のロータリーカッターを用いたことを特徴とするカット紙用の圧着紙葉類製造装置。
【発明の詳細な説明】
【技術分野】
【０００１】  本発明は、例えば連続的に搬送される紙葉類を連続的に切断するロータリーカッターに関する。さらに、それを使用したダイレクトメールを始め、葉書、往復葉書、封書等に利用可能な圧着紙葉類を製造するためのカット紙状の紙葉類を用いる圧着紙葉類製造装置に関する。
前記圧着紙葉類製造装置とは、見掛けは通常のダイレクトメール、葉書、往復葉書、封書等であるにもかかわらず、多層に折り畳まれた紙葉類が圧着フィルムを介して剥離可能に圧着積層されているため、内部に多量の情報を隠蔽することが可能な圧着紙葉類をカット紙状の紙葉類から製造するものである。
【背景技術】
【０００２】  最近、葉書等の郵便物として、情報が表示された複数の葉片が折り線を介して連接された紙葉類を折り畳むと共に対向する葉片間を剥離可能に接着して、多量の情報を送信可能にした圧着紙葉類が多用されている。
前記のような圧着紙葉類の製造装置として、例えば日本国の特開平５−３８８９４号公報や特開平９−７６６６５号公報には、複数の葉片が折り線を介して連接されてなる各紙葉類搬送手段と、紙葉類搬送路上において各紙葉類を折り畳む紙葉類折り畳み手段と、剥離可能に接着された、２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなる基本構造を備えたものが提案されている。
【発明の開示】
【発明が解決しようとする課題】
【０００３】  前記製造装置により得られる圧着紙葉類は、これを前記のように圧着された両葉片間から開封することにより、該葉片間に挟まれた圧着フィルムの２層の透明フィルム間が剥離され、それによって該圧着紙葉類は、各葉片の情報表示面に透明フィルムが被覆されると共に各葉片上の情報が前記透明フィルムを透して視認され得る状態で展開されることになる。【０００４】  前記圧着紙葉類では、受取人側で剥離展開されるまでは、各葉片上の情報が外部から視認できないのでプライバシー保護等の秘匿性に優れ、また単葉の書簡等と比較して遥かに多量の情報を通常料金で送信できるので情報料に対する送信費用が大幅に軽減され、さらに各葉片上の情報が透明フィルムで被覆されているので情報の保存性、耐水性、耐汚性等に優れると共に情報に美観を付与して情報伝達の促進等の効果も奏するものである。
しかし、前記製造装置の何れも、概して大量生産型のものであり、通信販売や通信教育等の大手企業が大量の会員に定期的に通知する場合に前記のような大掛かりな製造装置を使用すると圧着紙葉類の製造単価が極端に上がるために、小ロットの製造に対応する無理があった。【０００５】  特に、特開平５−３８８９４号公報に開示された圧着紙葉類製造装置では、紙葉類として連続フォーム印刷機を必要とし、例えば中小事務所や家庭等で、パーソナルコンピュータの出力用として一般に使用されているプリンタでは前記連続フォーム用紙の印刷に対応することができないという問題があった。
また、特開平９−７６６６５号公報に開示された圧着紙葉類製造装置では、紙葉類として１枚ずつ搬送される非連続のカット紙を用いることから、紙葉類の印刷に関する前記問題は解決されるが、この製造装置における圧着フィルム挿入手段では、搬送される紙葉類の折り畳みの途中で、圧着フィルムを前記紙葉類と同じ速度で供給しつつ該紙葉類の対向する葉片間に連続的に挿入するという困難な作業を必要とするものであった。【０００６】  一方、紙葉類の葉片間への圧着フィルムの挿入手段が特に改良され、構造が簡素で小型化が可能な、カット紙状の紙葉類を用いる圧着紙葉類製造装置に係る発明が、本出願人の協力下にジェーディーエルエンジニアリング株式会社により完成され、特願２００１−２９６９７９号として２００２年５月２日付で出願されている。なお、この特許出願は、現在、ジェーディーエルエンジニアリング株式会社と本出願人であるケイディケイ株式会社との共有となっている。【０００７】  特願２００１−２９６９７９号に係る前記圧着紙葉類製造装置は、複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折り畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折り畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなるものであるが、前記紙葉類切断手段として具体的にはロータリーカッターによる切断手段を開示している。【０００８】  本発明者等は、前記紙葉類搬送手段、紙葉類折畳み手段、圧着フィルム供給手段、圧着フィルム挿入手段、及び加圧又は加熱及び加圧下に圧着フィルムを介して剥離可能に接着する紙葉類圧着手段を経た後に、圧着フィルムが挿入された前記紙葉類の天地を裁断し所定のサイズにする紙葉類切断手段としてロータリーカッターを使用した場合に、発生する巾の狭い切り屑がロータリーカッターの外部へ上手く排出されず、そのためロータリーカッターの刃に巻き込まれて裁断不能になるという新たな問題があることを見出した。【０００９】  ロータリーカッターを使用し、例えば連続的に搬送される紙類類を短いストロークで切断すると、僅かな巾の切り屑が回転刃の裏側に回り込み付着する現象が頻繁に発生する。
これは重量が極めて少ない僅かな切り巾の紙葉類が、回転刃に発生する静電気により吸い寄せられたり、粘着剤や接着剤が塗布された紙葉類を切断する場合に回転刃の裏側にこびりつく僅かな粘着剤や接着剤のかすに起因するものである。
これら回転刃の裏側に付着した切り屑は、ロータリーカッターの回転動作により回転刃と固定刃の間を通過する切断紙葉類に巻き込まれ、紙葉類を切断するする際に切り屑も同時に切断することになる。しかしこのような紙葉類と切り屑の二重切断は、カッター刃による切断に際し必要以上の抵抗が発生するため予定した切断線よりずれたり、切断されない部分が生じたり、ひどい場合にはカッター刃の切断動作が停止することも起こる。
この発明の解決すべき課題は、係る問題に鑑み、ロータリーカッターによる紙葉類切断手段を採用した際に切り屑が上手く排出されず、ロータリーカッターに巻き込まれてカットずれを生じたり、裁断不能を起こしたり或いはその後の工程で切り屑による様々な支障が生じることがないロータリーカッターとそれを用いたカット紙用の圧着紙葉類製造装置を提供することにある。
【課題を解決するための手段】
【００１０】  上記目的を達成するために本発明のロータリーカッターは、連続して搬送される用紙を連続的に裁断するロータリーカッターにおいて、切り屑排除構造を設けたことを特徴としている。
さらに本発明の圧着紙葉類製造装置、複数の葉片が折り線を介して連接されてなるカット紙状の各紙葉類をその給紙部から所定の紙葉類搬送路に沿って逐次搬送する紙葉類搬送手段と、紙葉類搬送路上において各紙葉類を折り畳む紙葉類折り畳み手段と、剥離可能に接着された２層の透明フィルムを含むと共に表裏面に加圧又は加熱及び加圧により接着性を生じる接着剤層が形成されてなる長尺状の圧着フィルムを所定の圧着フィルム供給路に沿って逐次供給する圧着フィルム供給手段と、紙葉類折り畳み手段より下流の紙葉類搬送路と圧着フィルム供給路との交差域において、折り畳まれた前記紙葉類における対向する任意の葉片間に圧着フィルムを挿入する圧着フィルム挿入手段と、圧着フィルム挿入手段より下流の紙葉類搬送路上において、圧着フィルムが挿入された前記紙葉類における両葉片間を加圧又は加熱及び加圧下に該圧着フィルムを介して剥離可能に接着する紙葉類圧着手段と、紙葉類圧着手段より上流又は下流の紙葉類搬送路上において、圧着フィルムが挿入された前記紙葉類を所定サイズに裁断する紙葉類切断手段とからなるカット紙用の圧着紙葉類製造装置であって、下流の紙葉類圧着手段により隣り合わせの状態で連続的に搬送されてくる各紙葉類の天地方向を回転刃の裏面側に切り屑排除構造を設けたロータリーカッターで裁断することを特徴としている。【００１１】  ロータリーカッターによる紙葉類の切断工程を詳しく説明する。
図１（Ａ）はロータリーカッターＲの正面図、（Ｂ）は側面図を表す。図１（Ａ）及び（Ｂ）に示す様にロータリーカッターＲは固定刃２と回転刃１とから構成されている。そして同図（Ｂ）及び図２に示す様に図中左方向から紙葉類Ｐが搬送されてくる。続いて同図（Ｃ）に示す様に切断予定の位置（固定刃２と回転刃１の接点４）で停止した紙葉類Ｐの先端部分を、同図（Ｄ）に示す様に反時計回りに回転する回転刃１と固定刃２によりその接点４で切断するのである。切断後回転刃１は時計回りに回転し、同図（Ｂ）に示す元の位置へ復帰する。その際、切断された切り屑５は首尾良く下方へ落下することが望まれる。
しかるに切断回数が増えるにつれ蓄積される静電気や、例えば粘着剤や接着剤を伴うラベル等を切断することにより回転刃１の背面に粘着剤や接着剤が付着するため、回転刃１の背面に切り屑５が密着するケースが頻発する。
切り屑５は図３（Ａ）に示す様に、回転刃１の背面に密着し同図（Ｂ）に示す様に回転刃１の回転動作により、回転刃１の背面に密着したまま振り回されて動き、上流から搬送されてくる紙葉類Ｐの上に重なる。そうなると回転刃１は同図（Ｃ）に示す様に次の切断で実質２枚分を切断することになるため、その部分において切断不良やずれを起こしたりひどい場合には切断不能になり停止してしまうのである。【００１２】  本発明者らは鋭意研究の末、前記ロータリーカッターにおける欠点をロータリーカッターの回転刃の背面に切り屑排除構造を設けることで解決できることを発見した。
この切り屑排除構造として例えば図４に示すようにロータリーカッターＲの固定刃１側の背面に、切り屑５が接触しない空間を設けるためのベロ状の構造６が採用できる。このような構造にしておけば同図（Ａ）、（Ｂ）、（Ｃ）に示すように紙葉類Ｐが接点４で切断される瞬間に、すでに切り屑５が強制的に下方へ投げ出されるので、確実に落下させることができる。【００１３】  前記切り屑排除構造は図６（Ａ）に示すように、回転刃１の固定刃２側背面全体に渡って形成されても、また同図（Ｂ）に示すように複数個所に分けて形成しても構わず、さらに必要部分のみに形成しても構わない。
前記ベロ状の構造の場合弾性のある材質を選択すれば図４（Ｂ）に示すように、回転刃１が固定刃２との接点４で切断する際に撓むため邪魔にならず、切断に悪影響を与えることはない。しかし必ずしも弾性を必要とするものではない。さらに図６（Ｃ）に示すように回転刃１の背面にベロ状の構造６の厚さに相当する深さの溝を掘り、ベロ状の構造が切断に際して邪魔をしないように、被切断物と接触して圧力が生じる場合に図中の矢印で示す様に前記溝の中に隠れて、回転刃１の背面がベロ状の構造１により段差を生じないようにしても構わない。
前記ベロ状の構造の材質として金属、プラスチック樹脂、セラミック、紙、合成紙、布又はそれらの材料の複合体等が使用可能で、好ましくは静電気を蓄積しにくい材質及び粘着剤や接着剤が付着しづらい材質を好適に使用することができる。そのような材質は前記公知のものに静電気防除剤を添加したり、表面にテフロンやフッ素加工を施したり、静電気防除やテフロン加工のされた市販のテープを表面に貼り付けることにより使用でき、切り屑を強制的に落下させる効果を倍増する。
なお本発明が対象とする被切断物の材質としては一般の紙に限られることはなく、例えば合成紙、プラスチック樹脂、金属箔、布（繊維）、セラミック及びそれらが混在する状態のもの等が対象になる。【００１４】  また前記切り屑排除構造以外に図５（Ａ）及び（Ｂ）に示すように回転刃１と固定刃２の間隙に強制的に風を送り込む手段がある。
強制的に風を送り込む手段は、例えば同図（Ａ）に示す様なファン７をロータリーカッターＲの上流側に設けたり、同様に同図（Ｂ）に示す様にエアーポンプで圧縮空気を吹き付けるためのブロー８を設けることにより可能であるが、格別その手段に限られるものではない。好ましくは静電気除去作用を有するイオン等を混入させたイオン風であれば更に効果が望めるがこれについても必ずしもその必要はない。
回転刃１と固定刃２の間隙に吹き込む風は丁度切り屑５の落下ルートをトレースするので切り屑５はストレスなく落下する。
強制的に風を送り込む手段と前記ベロ状の構造と組み合わせることにより更なる切り屑排除効果が期待できる。
既述の切り屑排除機構は後述するカット紙用の圧着紙葉類製造装置における紙葉類切断手段に採用することで絶大な効果を上げるのである。
【発明の効果】
【００１５】  本発明の切り屑排除構造を設けたロータリーカッターによれば、巾の狭い切り屑の発生する切断作業でも切り屑が回転刃の背面に密着して残ることがなくなる。従って切り屑による切断不良やずれ、更に切断不能やカッター詰まり等の事故がなくなるので製品の品質が安定すると共に作業効率が向上する。
そして本発明の切り屑排除構造を設けたロータリーカッターを含むカット紙用の圧着紙葉類製造装置を使用すれば、素人でも容易に大量の圧着紙葉類を製造することが可能になる。
【発明を実施するための最良の形態】
【００１６】  発明の実施の形態を実施例に基づき図面を参照して説明する。
図１（Ａ）はロータリーカッターの要部概念正面図、（Ｂ）、（Ｃ）及び（Ｄ）は、ロータリーカッターの動作を経時的に説明する要部概念側面図である。図２はロータリーカッターに対する紙葉類の動きを分かりやすく示す要部概念斜視図である。図３（Ａ）、（Ｂ）及び（Ｃ）は、切り屑による切断不良を経時的に説明する要部概念側面図である。図４（Ａ）、（Ｂ）及び（Ｃ）は、切り屑排除機構の一例の動作を経時的に示す要部概念側面図である。図５（Ａ）及び（Ｂ）は、切り屑排除機構の異なる構造を示す要部概念側面図である。図６（Ａ）及び（Ｂ）はベロ状の構造を設けたロータリーカッターの斜視図、（Ｃ）は異なるベロ状の構造の回転刃の断面図をそれぞれ表す。図７は切り屑排除構造を設けたロータリーカッターを含む、カット紙用の圧着紙葉類製造装置の要部概念斜視図を表す。図８（Ａ）及び（Ｂ）は、支持板を用いる圧着フィルム挿入手段における紙葉類と圧着フィルムとの配置関係を各々別視点で説明する要部概念斜視図である。図９（Ａ）、（Ｂ）、（Ｃ）及び（Ｄ）は、支持板を用いる圧着フィルム挿入手段における紙葉類への圧着フィルム挿入機構を経時的に説明する要部概念側面図である。図１０（Ａ）及び（Ｂ）は、支持板を用いる圧着フィルム挿入手段で使用可能な支持板抜取り手段の作動前における各々要部縦断面図及び要部斜視図である。図１１（Ａ）及び（Ｂ）は、図９（Ａ）及び（Ｂ）に示す支持板抜取り手段の作動準備時における各々要部縦断面図及び要部斜視図である。図１２（Ａ）及び（Ｂ）は、図９（Ａ）及び（Ｂ）に示す支持板抜取り手段の作動開始時における各々要部縦断面図及び要部斜視図である。図１３は、図９（Ａ）及び（Ｂ）に示す支持板抜取り手段の作動中における要部縦断面図及び要部斜視図である。【００１７】  後述される本発明の実施例では、図４及び図６（Ａ）に示す様に、回転刃１の固定刃２側の背面にプラスチック樹脂からなるベロ状の構造６を設けたロータリーカッタＲを使用した。そしてベロ状の構造６の下側面は放電物質を練り込んだテフロンテープ被覆処理（図示省略）が施されている。前記ベロ状の構造６は図４（Ｂ）に示すようにやや弾性があり、紙葉類Ｐの切断を邪魔しないように接点４から若干控える長さに設定されている。
既述の通りロータリーカッターＲは支軸３を中心に回転運動を行うが、この回転運動は電気的に制御されているので様々な動きを設定することができる。例えば紙葉類Ｐが上流から搬送されてくる際に、受け入れやすいように開口部を開口するように一旦時計回りに回転して間隙を大きくするような動作も任意に付け加えることができる。【００１８】  ロータリーカッターによる切断手段を含むカット紙用の圧着紙葉類製造装置では、図７に示すように、供給部１０のストッカ１１にカット紙状の紙葉類Ｐが積載収容され、各紙葉類Ｐには、複数の葉片Ｐａ、Ｐｂが折り線Ｐｃ（必ずしも表示する必要はなくミシン目等に代えても構わない）を介して連接されている。前記の各紙葉類Ｐは、一連の紙葉類搬送手段２０の一部を構成するフィードローラ２１により、前記ストッカ１１から逐次繰り出されると共に左上方向の矢印で示す所定の紙葉類搬送路２２に沿って下流に搬送され、紙葉類折畳み手段３０を構成する折りローラ３１により、折り線Ｐｃで二つ折りに折り畳まれ、左上方向の矢印で示す所定の紙葉類搬送路２３に沿ってさらに下流に搬送される。【００１９】  一方、剥離可能に接着された２層の透明フィルムを含むと共に表裏面に加圧又は加熱及び加圧により接着性を生じる接着剤層が形成されてなる長尺状の圧着フィルムＦが、圧着フィルム供給手段４０を構成するフィルムロール４１から右上方向の矢印で示す所定の圧着フィルム供給路４２に沿って逐次供給される。【００２０】  紙葉類折畳み手段３０により折り畳まれた前記紙葉類Ｐは、該紙葉類折畳み手段３０より下流の紙葉類搬送路２３と圧着フィルム供給路４２との交差域２４に搬送されると共に、該交差域２４において、詳細には図８〜図１３に示すような圧着フィルム挿入手段５０に供される。【００２１】  前記圧着フィルム挿入手段５０においては、図８（Ａ）及び（Ｂ）に示す様に、強磁性体からなる支持板５１が前記圧着フィルム供給路４２と同方向の支軸５２を介して上下に揺動可能に支承され、支持体５１の下方に、図９（Ａ）及び（Ｂ）に示す様に、支持板駆動手段５３を構成する電磁石５４が設置され、さらに図１０（Ａ）及び（Ｂ）に示すように、前記支持板５１に矩形の切り欠き部５１ａが穿設されると共に該支持板５１の上下に、支持板抜取り手段５５を構成する二対の送りローラ５６、５７が前記切欠き部５１ａを介して対向配置され、その場合に、上方の送りローラ５６がその支承部材５８を介して、下方の送りローラ５７に対して上下に揺動可能とされている。【００２２】  前記交差域２４において、図８（Ａ）及び（Ｂ）に示す様に、長尺状の圧着フィルムＦが、支持板５１の上面に載置されつつ、右上方向の矢印で示す圧着フィルム供給路４２に沿って逐次進行し、一方、二つ折りに折り畳まれた紙葉類Ｐが、その開口側を先頭にして、前記圧着フィルム供給路４２に対してほぼ直角に左上方向の矢印で示す紙葉類搬送路２３に沿って搬送されてくる。【００２３】  前記交差域２４に搬送されてきた前記紙葉類Ｐは、前記紙葉類折畳み手段３０により、図８（Ａ）や図９（Ａ）等に示す様に上側葉片Ｐａよりも下側葉片Ｐｂが若干長くなるように折り畳まれており、前記交差域２４において、図９（Ａ）に示す位置、即ち上側葉片Ｐａが支持板５１より手前の上流側に配置され且つ下側葉片Ｐｂの縁辺部分Ｐｂｘが支持板５１の縁辺部分５１ｘの下方に若干入り込む位置で搬送を一旦停止させられる。【００２４】  前記状態において、図９Ｂに示すように、支持板５１が、その下部に設置された支持板駆動手段５３における電磁石５４の励磁作動により下方に吸引されると共に支軸５２を中心に右下方向の円弧状矢印で示す時計回りに揺動すると、該支持板５１の縁辺部分５１ｘが下降すると同時に下側葉片Ｐｂの縁辺部分Ｐｂｘも該支持板５１に押圧されて押し下げられ、それによって折り畳まれた紙葉類Ｐの上下両葉片Ｐａ、Ｐｂ間は強制的に開口させられる。そして、前記状態において、図９Ｃに示す様に、両葉片Ｐａ、Ｐｂ間が開口した前記紙葉類Ｐが、紙葉類送込み手段６０の前段を兼用する紙葉類搬送手段としてのフィードローラ（図示を省略する。）及び紙葉類送込み手段６０の後段を構成する、支軸６１にストッパ６２まで揺動可能に枢着された押圧バー６３により、圧着フィルムＦが載置された支持板５１に向けて左方向の矢印で示す方向にさらに送り込まれると、両葉片Ｐａ、Ｐｂ間に支持板５１と圧着フィルムＦが同時に挿入され始め、最終的に、図９Ｄに示すように、紙葉類Ｐの折り線Ｐｃの内側部分が支持板５１の縁辺部分５１ｘ先端に当接する位置に到達したところで、前記紙葉類Ｐの送込みが停止させられると共に支持板５１に対する紙葉類Ｐと圧着フィルムＦの位置決めが完了する。【００２５】  前記のように両葉片Ｐａ、Ｐｂ間に支持板５１と圧着フィルムＦが挿入された前記紙葉類Ｐは、続いて、図１１〜図１３に示す様に、支持板抜取り手段５５における一対の送りローラ５６、５７で挟圧されつつ該送りローラ５６、５７の回転駆動により前記交差域２４の下流へと搬送され、その間に、前記紙葉類Ｐは、図１２（Ａ）及び（Ｂ）に示す様に、支持板５１がその切欠き部５１ａのために前記送りローラ５６、５７による挟圧駆動を受けないようにして、従ってその両葉片Ｐａ、Ｐｂ間に圧着フィルムＦのみが挿入された状態にして、図１３に示すように、前記交差域２４から右上方向の矢印で示す下流の紙葉類搬送路２５に沿って搬送されると共に、図７で示すように、紙葉類圧着手段７０以下の工程に供されるのである。【００２６】  前記圧着フィルム挿入手段５０を通過した前記紙葉類Ｐは、両葉片Ｐａ、Ｐｂ間に圧着フィルムＦが挿入された状態で、図７に示す様に、前記交差域２４から右上方向の矢印で示す下流の紙葉類搬送路２５、２６に沿って搬送されると共に、紙葉類圧着手段７０を構成するヒートパネル７１及び加圧ローラ７２により紙葉類Ｐと挟み込まれている圧着フィルムＦとが剥離可能に一体化される。【００２７】  そして前記加圧ローラ７２を通過した前記紙葉類Ｐは既述の様にロータリーカッターＲの回転刃１と固定刃２の間隙に送り込まれ、先に送り込まれ進行方向の前側の縁辺（天側）が既に切断されている紙葉類Ｐの後ろ側の縁辺（地側）を切断し単品の圧着紙葉類Ｑに仕上げ、さらに続いて上流から送り込まれる紙葉類Ｐの前側の縁辺（天側）を切断する。この際に発生する圧着紙葉類Ｑと紙葉類Ｐそれぞれの天地の巾の狭い切り屑５は、回転刃１と固���刃２の間隙から吹き込まれる（切り屑５の自然落下ルートをトレースする）ブロー８の風と、ベロ状の構造６の押出し作用により確実に落下し排除される。
このようにして葉書その他の圧着紙葉類Ｑが製造されるのである。
【図面の簡単な説明】
【００２８】
【図１】  （Ａ）はロータリーカッターの要部概念正面図、（Ｂ）、（Ｃ）及び（Ｄ）はロータリーカッターの動作を経時的に説明する要部概念側面図である。
【図２】  ロータリーカッターに対する紙葉類の動きを分かりやすく示す要部概念斜視図である。
【図３】  （Ａ）、（Ｂ）及び（Ｃ）は、切り屑による切断不良を経時的に説明する要部概念側面図である。
【図４】  （Ａ）、（Ｂ）及び（Ｃ）は、切り屑排除構造の一例の動作を経時的に示す要部概念側面図である。
【図５】  （Ａ）及び（Ｂ）は、切り屑排除構造の異なる構造の例を示す要部概念側面図である。
【図６】  （Ａ）及び（Ｂ）はベロ状の構造を設けたロータリーカッターの斜視図、（Ｃ）は異なるベロ状の構造の回転刃の断面図をそれぞれ表す。
【図７】  切り屑排除構造を設けたロータリーカッターを含む、カット紙用の圧着紙葉類製造装置の要部概念斜視図を表す。
【図８】  （Ａ）及び（Ｂ）は、支持板を用いる圧着フィルム挿入手段における紙葉類と圧着フィルムとの配置関係を各々別視点で説明する要部概念斜視図である。
【図９】  （Ａ）、（Ｂ）、（Ｃ）及び（Ｄ）は、支持板を用いる圧着フィルム挿入手段における紙葉類への圧着フィルム挿入機構を経時的に説明する要部概念側面図である。
【図１０】  （Ａ）及び（Ｂ）は、支持板を用いる圧着フィルム挿入手段で使用可能な支持板抜取り手段の作動前における各々要部縦断面図及び要部斜視図である。
【図１１】  （Ａ）及び（Ｂ）は、図９（Ａ）及び（Ｂ）に示す支持板抜取り手段の作動準備時における各々要部縦断面図及び要部斜視図である。
【図１２】  （Ａ）及び（Ｂ）は、図９（Ａ）及び（Ｂ）に示す支持板抜取り手段の作動開始時における各々要部縦断面図及び要部斜視図である。
【図１３】  図９（Ａ）及び（Ｂ）に示す支持板抜取り手段の作動中における要部縦断面図及び要部斜視図である。
【符号の説明】
【００２９】Ｒ  ロータリーカッター
Ｐ  紙葉類
Ｐａ、Ｐｂ  葉片
Ｐｂｘ  縁辺部分
Ｐｃ  折り線
Ｆ  圧着フィルム
Ｑ  圧着紙葉類
１  回転刃
２  固定刃
３、５２、６１  支軸
４  接点
５  切り屑
６  ベロ状の構造
７  ファン
８  ブロー
１０  給紙部
１１  ストッカ
２０  紙葉類搬送手段
２１  フィードローラー
２２、２３  紙葉類搬送路
２４  交差域
３０  紙葉類折畳み手段
３１  折りローラ
４０  圧着フィルム供給手段
４１  フィルムロール
４２  圧着フィルム供給路
５０  圧着フィルム挿入手段
５１  支持板
５１ｘ  支持板５１の縁辺部分
５３  支持板駆動手段
５４  電磁石
５５  支持板抜取り手段
５６、５７  送りローラ
５８  支承部材
６０  紙葉類送込み手段
６２  ストッパ
６３  押圧バー
７０  紙葉類圧着手段
７１  ヒートパネル
７２  加圧ローラ
【図１】
2005205581.tif 000003
【図２】
2005205581.tif 000004
【図３】
2005205581.tif 000005
【図４】
2005205581.tif 000006
【図５】
2005205581.tif 000007
【図６】
2005205581.tif 000008
【図７】
2005205581.tif 000009
【図８】
2005205581.tif 000010
【図９】
2005205581.tif 000011
【図１０】
2005205581.tif 000012
【図１１】
2005205581.tif 000013
【図１２】
2005205581.tif 000014
【図１３】
2005205581.tif 000015